(57)【要約】【課題】  合成樹脂製容器の胴部表面に、色取りされた凹凸模様を設けることにより、立体感に富んだ色取り模様を有する合成樹脂製容器を提供することを目的とする。【解決手段】  合成樹脂製容器の胴部表面に設けた凹凸装飾部に、凹凸により所望の図柄を描く凹凸模様部を形成し、この凹凸模様部の表面に、インクジェット印刷により塗布成形されたインク加飾被膜を設けることにより、立体感のある凹凸模様に色柄装飾を加えることができ、これにより高級感に富んだ優れた装飾効果を得ることができる。【選択図】  図２
2010126210.tif 000002
【特許請求の範囲】
【請求項１】
合成樹脂製容器の筒状となった胴部の表面に、凹凸装飾部を形成し、該凹凸装飾部に、彫刻状やエンボス状の凹凸により、所望の図柄を描く凹凸模様部を形成し、該凹凸模様部の表面に、インクジェット印刷により塗布成形されたインク加飾被膜を設けて成る合成樹脂製加飾容器。
【請求項２】
胴部の表面に凹凸装飾部を陥没形成し、凹部模様部の凸部の突出高さを、前記凹凸装飾部の陥没深さよりも小さく設定した請求項１に記載の合成樹脂製加飾容器。
【請求項３】
凹凸模様部の周囲に地色部を設け、該地色部にもインク加飾被膜を施した請求項１または２に記載の合成樹脂製加飾容器。
【発明の詳細な説明】
【技術分野】
【０００１】
本発明は、筒状の胴部表面に、色取り装飾を施した凹凸模様を形成した合成樹脂製加飾容器に関するものである。
【背景技術】
【０００２】
合成樹脂製容器の筒状をした胴部表面に対する、被膜の塗布による加飾は、シルク印刷による印刷塗膜や、ホットスタンプによる転写被膜、さらにはシュリンクラベルによるものが知られている。
【０００３】
ところが、上記した従来の被膜の塗布による加飾は、容器の胴部表面の凹んだ部分には施すことができず、予め彫刻状やエンボス状により所望の図柄に形成された凹凸模様部分に対しては、その表面全域に色取り加飾を施すことができなかった。
【０００４】
このため、例えば、特開２００５−２１２２２６号公報に示されているシュリンクラベルに関する技術を利用して、凹凸模様部分に対して色取り加飾を施そうとする場合には、予めシュリンクラベルの所定位置に、凹凸模様部分に対応した色取り模様を形成しておき、この色取り模様を、容器の凹凸模様部分に位置合せさせて、シュリンクラベルを容器に装着することになる。
【特許文献１】特開２００５−２１２２２６号公報
【発明の開示】
【発明が解決しようとする課題】
【０００５】
しかしながら、上記した従来技術にあっては、図４に示すように、シュリンクラベル１１は、容器の胴部２に、例えば陥没状に形成された凹凸装飾部３に対して、張設状に組付くものであるので、シュリンクラベル１１に形成した色取り模様が、凹凸装飾部３の凹凸模様部４に対して、全部もしくは大半が浮き上がってしまい、凹凸模様部４の各部分と、色取り模様の各部分とを対応させることが不可能である、と云う問題がある。
【０００６】
また、シュリンクラベル１１の色取り模様を、胴部２の凹凸装飾部３に位置合せさせることができたとしても、シュリンクラベル１１が凹凸模様部４を覆ってしまうので、凹凸模様部４が現出する立体感を遮蔽してしまい、凹凸装飾部３を設けた目的が達成できない、と云う問題がある。
【０００７】
そこで、本発明は、上記した従来技術における問題点を解消すべく創案されたもので、合成樹脂製容器の胴部表面に、色取りされた凹凸模様を設けることを技術的課題とし、もって立体感に富んだ色取り模様を有する合成樹脂製容器を提供することを目的とする。
【課題を解決するための手段】
【０００８】
本発明の主たる構成は、
合成樹脂製容器の筒状となった胴部の表面に、凹凸装飾部を形成すること、
この凹凸装飾部に、彫刻状やエンボス状の凹凸により、所望の図柄を描く凹凸模様部を形成すること、
この凹凸模様部の表面に、インクジェット印刷により塗布成形されたインク加飾被膜を設けこと、
にある。
【０００９】
凹凸装飾部に形成された凹凸模様部は、彫刻やエンボスのような複雑な凹凸構造となっており、それ単独で充分な立体感を現出する。
【００１０】
凹凸模様の表面に被覆形成されたインク加飾被膜は、この凹凸模様の表面に対するインクジェット印刷により塗布成形されるものであるので、凹凸模様の表面の凹凸に関わりなく、凹凸模様の複雑に凹凸した表面に、この凹凸模様の各凹凸部分に対応した色取りで形成することができる。
【００１１】
このように、凹凸装飾部は、凹凸模様部の立体感と、インク加飾被膜の色取り装飾とが組合さった、加飾効果を発揮する。
【００１２】
本発明の別の構成は、上記した主たる構成に加えて、胴部の表面に凹凸装飾部を陥没形成し、凹部模様部の凸部の突出高さを、凹凸装飾部の陥没深さよりも小さく設定した、ものである。
【００１３】
胴部の表面に凹凸装飾部を陥没形成し、凹凸模様部の凸部の突出高さを、凹凸装飾部の陥没深さよりも小さく設定したものにあっては、凹凸装飾部の全体が、胴部表面の仮想される外郭線から外側に突出することがなく、これによりインク加飾被膜が、他の物品に擦り付けられ、早期に破損することがない。
【００１４】
また、本発明の別の構成は、上記した主たる構成に加えて、凹凸模様部の周囲に地色部を設け、この地色部にもインク加飾被膜を施した、ものである。
【００１５】
地色部を設け、この地色部にもインク加飾被膜を施したものにあっては、地色部が凹凸模様部専用のバックを形成するので、凹凸模様部を浮かび上げて視覚させることになる。
【発明の効果】
【００１６】
本発明は、上記した構成となっているので、以下に示す効果を奏する。
本発明にあっては、凹凸装飾部が、凹凸模様部の立体感と、インク加飾被膜の色取り装飾とが組合さった加飾効果を発揮するので、立体感に富んで色彩豊かな、高級感のある加飾効果を得ることができる。
【００１７】
胴部の表面に凹凸装飾部を陥没形成し、凹凸模様部の凸部の突出高さを、凹凸装飾部の陥没深さよりも小さく設定したものにあっては、インク加飾被膜が、他の物品に擦り付けられ、早期に破損することがないので、優れた加飾効果を長期間に亘って保持することができる。
【００１８】
地色部を設け、この地色部にもインク加飾被膜を施したものにあっては、凹凸模様部を浮かび上げて視覚させることになるので、凹凸装飾部の立体感をより高めることができ、これにより深みのある加飾効果を得ることができる。
【発明を実施するための最良の形態】
【００１９】
以下、本発明の実施形態を、図１を参照しながら説明する。
【００２０】
図１は、合成樹脂製ブロー成形ボトル状容器、もしくは合成樹脂製チューブ容器である容器１の、インク加飾皮膜６を施す前の構成を示すもので、楕円筒状をした胴部２の長軸に沿った湾曲表面の上位部分に、やや縦長となった楕円状の境界線７により、凹凸装飾部３を区画形成している。
【００２１】
この凹凸装飾部３は、彫刻やエンボスのような複雑な凹凸により、所望する図柄を描いた凹凸模様部４と、この凹凸模様部４を囲む地色部５とを有しており、図３に示すように、その全体が陥没している。
【００２２】
また、凹凸装飾部３における凹凸模様部４は、地色部５に対して、全体的に突出して構成されており、この凹凸模様部４の最も突出した凸部の突出程度は、胴部２の表面の仮想される外郭線から突き出ない程度に規制されている。
【００２３】
図２は、図１に示した凹凸装飾部３の凹凸模様部４および地色部５に、インクジェット印刷法によりインク加飾被膜６を被覆形成して、凹凸装飾部３を完成させたもので、インク加飾被膜６は、地色部５を暗色に、凹凸模様部４には、色取りと明暗色模様が施されている。
【００２４】
インク加飾被膜６の成形は、図３に示すように、凹凸模様部４と地色部５の表面に、インクジェット式塗装装置８に設けられている八つのノズルヘッド９の噴射ノズル１０を対向させ、この噴射ノズル１０別に、イエロー、マゼンタ、ブラック、シアン、ライトシアン、ライトマゼンタ、ホワイト、クリアのインクを位置出し制御しながら噴射塗布して達成される。
【００２５】
インクジェット式塗装装置８は、インク加飾被膜６を形成する前の凹凸装飾部３をスキャン等して色柄パターンのデータを作成保存し、このデータに基づいて各ノズルヘッド９におけるインクの噴射を制御する。
【００２６】
インク加飾被膜６を施していない凹凸装飾部３を設けた胴部２と、インクジェット式塗装装置８とは、正確に位置出し制御されながら相対移動して、凹凸装飾部３表面全域にインク加飾被膜６を塗布成形し、繊細な凹凸模様に対して精度良く加飾することができる。
【００２７】
なお、インク加飾被膜６を施す前の凹凸装飾部３の成形は、容器１のブロー成形と同時に成形しても良いのであるが、胴部２の成形後、局部的な熱成形手段や押圧成形手段を利用して、凹凸装飾部３を局部的に刻印状に成形しても良い。
【００２８】
また、図示実施例は、ブロー成形ボトル状容器を示したが、これに限ることはなく、チューブ状容器にも適用できることは言うまでもない。
【産業上の利用可能性】
【００２９】
以上説明したように、本発明の加飾技術は、凹凸表面部分に対する色取り装飾を後加工により施すことができるものであり、合成樹脂製容器に対する加飾に関する技術として、幅広い利用展開が期待できる。
【図面の簡単な説明】
【００３０】
【図１】本発明の一実施形態例を示す、インク加飾被膜形成前の外観斜視図である。
【図２】図１に示した実施形態例の、インク加飾被膜を施した外観斜視図である。
【図３】インク加飾被膜の成形の説明に供する、断面説明図である。
【図４】従来技術の説明に供する、断面説明図である。
【符号の説明】
【００３１】
１  ；容器
２  ；胴部
３  ；凹凸装飾部
４  ；凹凸模様部
５  ；地色部
６  ；インク加飾被膜
７  ；境界線
８  ；インクジェット式塗装装置
９  ；ノズルヘッド
１０；噴射ノズル
１１；シュリンクラベル
【図１】
2010126210.tif 000003
【図２】
2010126210.tif 000004
【図３】
2010126210.tif 000005
【図４】
2010126210.tif 000006